(57)【要約】【課題】多彩な色彩の華やかなフリル付き織布を実現する。【解決手段】上下に三重に重ね織りした第１の接結部１ａと、上下に二重に重ね織りした第２の接結部１ｂと、第１の接結部１ａの裾側部分に設けられた飾りのフリルとなる上フリル布部２ａと、第２の接結部１ｂの裾側部分に設けられた下フリル布部２ａ及びその下地となるベース布部３を連続的かつ一体的に織り上げると共に、上フリル布部２ａ、下フリル布部２ｂ、ベース布部３の緯糸として、それぞれ異なる色の糸を用いることにより上フリル布部２ａと下フリル布部２ｂとベース布部３の色を異なるようにし、上フリル布部２ａ及び下フリル布部２ｂの裾側（終端側）を斜線状、波状等の任意の形状に切断することで、色の異なる３色の上フリル布部２ａ、下フリル布部２ｂ、ベース布部３が布表に現われるようにする。【選択図】図１
2014167193.tif 000002
【特許請求の範囲】
【請求項１】
重ね織りした接結部と、接結部の裾側部分に設けられたフリル布部及びその下地となるベース布部を有するフリル付き織布において、
前記フリル布部と前記ベース布部の緯糸として異なる色の糸を用いることにより、前記フリル布部と前記ベース布部の色を異ならせたことを特徴とするフリル付き織布。
【請求項２】
請求項１に記載のフリル付き織布において、
前記接結部は三重に重ね織りした第１の接結部と、この第１の接結部に続く二重に重ね織りした第２の接結部とから成り、
前記フリル布部として、上フリル部と下フリル部を有し、
前記上フリル部は第１の接結部の裾側部分に設けられ、前記下フリル部と前記ベース布部は前記第２の接結部の裾側部分に設けられていて、前記上フリル部と前記下フリル部の緯糸として異なる色の糸を用いることにより、前記上フリル部と前記下フリル部の色を異ならせたことを特徴とするフリル付き織布。
【請求項３】
請求項１に記載のフリル付き織布において、
前記接結部は三重に重ね織りされ、
前記フリル布部として、上フリル部と下フリル部を有し、
前記上フリル部と前記下フリル部と前記ベース布部は前記接結部の裾側部分に設けられていて、前記上フリル部と前記下フリル部の緯糸として異なる色の糸を用いることにより、前記上フリル部と前記下フリル部の色を異ならせたことを特徴とするフリル付き織布。
【請求項４】
請求項３に記載のフリル付き織布において、
前記三重に重ね織りされた接結部と前記上フリル部と前記下フリル部と前記ベース布部を必要段数形成したことを特徴とするフリル付き織布。
【発明の詳細な説明】
【技術分野】
【０００１】
本発明は、フリル付きスカートやフリルつきブラウス等の製造に用いるフリル付き織布に関する。
【背景技術】
【０００２】
従来のこの種のフリル付き織布として、例えば下記特許文献１に示されるものがある。
【０００３】
このフリル付き織布は、上下に三重に重ね織りした第１の接結部と、上下に二重に重ね織りした第２の接結部と、前記第１の接結部の裾側部分に設けられた飾りのフリルとなる上フリル布部と、前記第２の接結部の裾側部分に設けられた飾りのフリルとなる下フリル布部及びその下地となるベース布部を連続的かつ一体的に織り上げたもので、上フリル布部及び下フリル布部とベース布部の終端のほつれを防止するためのメローロック等の加工を施すだけで簡単にきれいな二重のフリルを作ることができ、しかも第１の接結部及び第２の接結部と、上フリル布部及び下フリル布部とベース布部は、例えばスカートを製造する場合、スカートのウエストから裾まで一体に織り上げることができるので、製造が極めて容易であるという長所を有している。
【先行技術文献】
【特許文献】
【０００４】
【特許文献１】特開２０１２−８７４３７号公報
【発明の概要】
【発明が解決しようとする課題】
【０００５】
しかしながら、上述した従来の技術においては、第１の接結部及び第２の接結部と、上フリル布部及び下フリル布部とベース布部が、同一色の糸で織られるため、色彩が単調になり、華やかさに欠けるという問題がある。
本発明は、このような問題を解決することを課題とする。
【課題を解決するための手段】
【０００６】
そのため、本発明は、重ね織りした接結部と、接結部の裾側部分に設けられたフリル布部及びその下地となるベース布部を有するフリル付き織布において、前記フリル布部と前記ベース布部の緯糸として異なる色の糸を用いることにより、前記フリル布部と前記ベース布部の色を異ならせたことを特徴とする。
【発明の効果】
【０００７】
このようにした本発明は、フリル布部の裾側を斜線状、波状等の任意の形状に切断することで、フリル布部と、色の異なるベース布部３が布表に現われるので、多彩な色彩の華やかなフリル付き織布を実現できるという効果が得られる。
【図面の簡単な説明】
【０００８】
【図１】第１の実施例を示すフリル付き織布の一部分斜視図
【図２】第１の実施例を示す側面図
【図３】上下のフリル布部の終端部を任意の形状に切断した例を示す図
【図４】第２の実施例を示すフリル付き織布の一部分斜視図
【図５】第２の実施例を示す側面図
【図６】第３の実施例を示す側面図
【発明を実施するための形態】
【０００９】
以下、図面を参照して本発明によるフリル付き織布の実施例を説明する。
【実施例１】
【００１０】
図１は第１の実施例を示すフリル付き織布の一部分斜視図、図２は同じく第１の実施例を示す側面図で、この第１の実施例は、スカートやブラウス等の主要部となる布地部分として第１の接結部１ａ及び第２の接結部１ｂと、２重の飾りフリルとなる上フリル布部２ａ、及び上フリル布部２ａより丈の短い下フリル布部２ｂと、その下地となるベース布部３をジャカード織機により連続的かつ一体的に織り上げたものとなっている。
【００１１】
第１の接結部１ａは、上下に三重に重ね織りし、その三重になっている織物組織が互いに分離しないように、上下の経糸（たていと）と緯糸（よこいと）を結合させた構造を有しており、第１の接結部１ａに続く第２の接結部１ｂは上下に二重に重ね織りして、その二重になっている織物組織が互いに分離しないように、上下の経糸と緯糸を結合させた構造を有している。つまり、二重の第２の接結部１ｂは三重の第１の接結部１ａの下２層を延長させた形態で織り上げられている。
【００１２】
上フリル布部２ａは第１の接結部１ａの裾側（終端側）の部分に設けられ、下フリル布部２ｂとベース布部３は、上フリル布部２ａの下側に位置するように第２の接結部１ｂの裾側（終端側）の部分に下フリル布部２ｂを上にして上下に分離するように設けられており、そして、これら上フリル布部２ａ及び下フリル布部２ｂとベース布部３の終端は連続する次の接結部１ａの始端に連結するように織られている。
本実施例は、このような構成において上フリル布部２ａ、下フリル布部２ｂ、ベース布部３の緯糸として、それぞれ異なる色の糸を用いることにより上フリル布部２ａと下フリル布部２ｂとベース布部３の色を異なるようにしたものである。
【００１３】
尚、上フリル布部２ａ及び下フリル布部２ｂにギャザーを付ける場合は、第１の接結部１aの上フリル布部２ａと接する部分、及び第２の接結部１ｂと下フリル布部２ｂ及びベース布部３と接する部分に、緯糸として収縮性を有する糸としてウレタン糸を用い、このウレタン糸を伸ばして糊で固めておき、緯糸として織り込んだ後、糊を洗い落とすことで、前記のウレタン糸を収縮させ、それにより上フリル布部２ａ及び下フリル布部２ｂに均等な間隔でギャザーを作り出すことができる。
【００１４】
次に上述した構成による第１の実施例の作用について説明すると、まず図２に示した（イ）の部分、つまり上フリル布部２ａ及び下フリル布部２ｂとベース布部３の終端と次の第１の接結部１ａの始端の連結部分を鋏等の切断具で切断する。これにより上フリル布部２ａ及び下フリル布部２ｂとベース布部３は、図１に示したように終端で切り離されるので、上フリル布部２ａ及び下フリル布部２ｂの裾側（終端側）を斜線状、波状等の任意の形状に切断する。
【００１５】
図３（ａ）〜（ｄ）は上フリル布部２ａ及び下フリル布部２ｂの裾側を任意の形状に切断した例を示す図である。ここで、図３（ａ）は上フリル布部２ａの裾側を向かって右上から左下に直線的に切断し、下フリル布部２ｂの裾側を左上から右下に直線的に切断した例である。図３（ｂ）は上フリル布部２ａ及び下フリル布部２ｂの裾側を波型に切断した例である。
また、図３（ｃ）は上フリル布部２ａの裾側を向かって右上から左下に緩やかな曲線を描くように切断し、下フリル布部２ｂの裾側を左上から右下に緩やかな曲線を描くように切断した例である。更に、図３（ｄ）は上フリル布部２ａ及び下フリル布部２ｂの裾側をともに右上から左下に緩やかな曲線を描くように切断した例である。
【００１６】
尚、このほかにも種々の形状に切断することが可能であることは無論である。
このようにすることで、色の異なる３色の上フリル布部２ａ、下フリル布部２ｂ、ベース布部３が布表に現われるので、上フリル布部２ａ及び下フリル布部２ｂとベース布部３の裾のほつれを防止するため、それぞれメローロック等の加工を施すことで、フリルが完成する。
このようにして二重フリルを完成させたフリル付き織布は、縫製によりフリル付きスカートを容易に製造することができる他、このフリル付き織布を利用することで胴部や袖にフリルのついたブラウス等の衣装を製造することも可能であり、更にフリルつきの装飾品、小物等の製造に用いることができる。
【００１７】
以上説明したように第１の実施例によるフリル付き織布は、上下に三重に重ね織りした第１の接結部１ａと、上下に二重に重ね織りした第２の接結部１ｂと、第１の接結部１ａの裾側部分に設けられた飾りのフリルとなる上フリル布部２ａと、第２の接結部１ｂの裾側部分に設けられた下フリル布部２ｂ及びその下地となるベース布部３を連続的かつ一体的に織り上げると共に、上フリル布部２ａ、下フリル布部２ｂ、ベース布部３の緯糸として、それぞれ異なる色の糸を用いることにより上フリル布部２ａと下フリル布部２ｂとベース布部３の色を異なるようにしているため、多彩な色彩の華やかなフリル付き織布を実現できるという効果が得られる。
【実施例２】
【００１８】
図４は第２の実施例を示すフリル付き織布の一部分斜視図、図５は同じく第２の実施例を示す側面図である。この第２の実施例は第１の実施例における第２の接結部１ｂを省略し、上フリル布部２ａと下フリル布部２ｂをともに第１の接結部１ａの裾側（終端側）の部分に設けると共に、上フリル布部２ａ、下フリル布部２ｂ、及びベース布部３の緯糸として、それぞれ異なる色の糸を用いることにより上フリル布部２ａと下フリル布部２ｂとベース布部３の色を異なるようにしたものである。
尚、上フリル布部２ａ及び下フリル布部２ｂとベース布部３の終端は、第１の実施例と同様に連続する次の接結部１ａの始端に連結するように織られており、従って上フリル布部２ａと下フリル布部２ｂとベース布部３の長さは、ほぼ同じ長さとなっている。
【００１９】
このような構成による第２の実施例は、第１の実施例と同様に、図５に示した（イ）の部分を鋏等の切断具で切断して、上フリル布部２ａ及び下フリル布部２ｂとベース布部３を終端で切り離し、上フリル布部２ａ及び下フリル布部２ｂの裾側（終端側）を斜線状、波状等の任意の形状に切断することで、色の異なる３色の上フリル布部２ａ、下フリル布部２ｂ、ベース布部３が布表に現われる。この上フリル布部２ａ及び下フリル布部２ｂとベース布部３の裾のほつれを防止するため、それぞれメローロック等の加工を施すことで、フリルが完成する。
以上説明した第２の実施例でも、第１の実施例と同様に多彩な色彩の華やかなフリル付き織布を実現できるという効果が得られる。
【実施例３】
【００２０】
図６は第３の実施例を示すフリル付き織布の側面図で、同図（ａ）フリルの裾の切り離し前の状態を示し、同図（ｂ）フリルの裾の切り離し後の状態を示している。
この第３の実施例は、第１の接結部１ａと上フリル布部２ａと下フリル布部２ｂとベース布部３を必要段数形成するもので、各段の上フリル布部２ａと下フリル布部２ｂとベース布部３は第２の実施例と同様に第１の接結部１ａの裾側（終端側）の部分に設けると共に、上フリル布部２ａ、下フリル布部２ｂ、及びベース布部３の緯糸として、それぞれ異なる色の糸を用いることにより上フリル布部２ａと下フリル布部２ｂとベース布部３の色を異なるようにしたものである。
【００２１】
また、この実施例では、各段の上フリル布部２ａ及び下フリル布部２ｂとベース布部３の終端は第１の実施例と同様に連続する次の接結部１ａの始端に連結するように織られているが、上フリル布部２ａ及び下フリル布部２ｂの終端には経糸のみで形成した連結部４が設けられ、この連結部４をベース布部３の表側から裏側に貫通させて次の接結部１ａの始端に連結するようにしている。
【００２２】
このような構成による第３の実施例は、図６（ａ）に示したベース布部３の裏側で連結部４を鋏等の切断具で切断して、図６（ｂ）に示したように上フリル布部２ａ及び下フリル布部２ｂを切り離し、上フリル布部２ａ及び下フリル布部２ｂの裾側（終端側）を斜線状、波状等の任意の形状に切断することで、色の異なる３色の上フリル布部２ａ、下フリル布部２ｂ、ベース布部３が布表に現われる。この上フリル布部２ａ及び下フリル布部２ｂとベース布部３の裾のほつれを防止するため、それぞれメローロック等の加工を施すことで、フリルが完成する。
【００２３】
以上説明した第３の実施例でも、多彩な色彩の華やかな複数段のフリルを有するフリル付き織布を実現できるという効果が得られる。
尚、第２、第３の実施例において、上フリル布部２ａ及び下フリル布部２ｂにギャザーを付ける場合は、第１の接結部１aの上フリル布部２ａと下フリル布部２ｂ及びベース布部３と接する部分に、緯糸として収縮性を有する糸としてウレタン糸を用い、このウレタン糸を伸ばして糊で固めておき、緯糸として織り込んだ後、糊を洗い落とすことで、前記のウレタン糸を収縮させ、それにより上フリル布部２ａ及び下フリル布部２ｂに均等な間隔でギャザーを作り出すことができる。
また、上述した各実施例では、全体をジャカード織により織り上げるものとしたが、ドビー織等により織り上げるものとしてもよい。
【符号の説明】
【００２４】
１    接結部
１ａ  第１の接結部
１ｂ  第２の接結部
２    フリル布部
２ａ  上フリル布部
２ｂ  下フリル布部
３    ベース布部
４    連結部
【図１】
2014167193.tif 000003
【図２】
2014167193.tif 000004
【図３】
2014167193.tif 000005
【図４】
2014167193.tif 000006
【図５】
2014167193.tif 000007
【図６】
2014167193.tif 000008